(57)【要約】      （修正有）【課題】主に、カラー液晶ディスプレイのバックライトになど用いられる、白色系に発光する平面光源を提供する。【解決手段】平面光源は、フィールド・エミッション・ディスプレイ方式の光源であり、電子線により真空容器の内側の第１の蛍光体層が励起されて第１の光を出射し、第１の光により真空容器の外側の第２の蛍光体層が励起されて第２の光を出射し、白色系の光を発光する。発光効率が高く、演色性が高く、発光色の調整が容易な平面光源となる。【選択図】図１
2009016268.tif 000002
【特許請求の範囲】
【請求項１】
フィールド・エミッション・ディスプレイ方式の光源であって、
電子線により、真空容器の内側の第１の蛍光体層が励起され、第１の光を出射し、
第１の光により、真空容器の外側の第２の蛍光体層が励起され、第２の光を出射し、
白色系の光を発光する
ことを特徴とする平面光源。
【請求項２】
第１の光は、近紫外線領域ないしは青色領域の波長の光である
ことを特徴とする請求項１記載の平面光源。
【請求項３】
第１の蛍光体層は、ＹＰＯ４：Ｃｅ３＋、ＹＡｌＯ３：Ｃｅ３＋、ＢａＦＸ：Ｅｕ２＋（ＸはＣｌ，Ｂｒ，Ｉの少なくともいずれか一つの元素）およびＹ２ＳｉＯ５：Ｃｅ３＋の少なくともいずれか一つの蛍光体を含む
ことを特徴とする請求項２記載の平面光源。
【請求項４】
第１の蛍光体層は、ＺｎＳ：Ａｇ＋蛍光体を含む
ことを特徴とする請求項２記載の平面光源。
【発明の詳細な説明】
【技術分野】
【０００１】
本発明は、平面状のフィールド・エミッション・ディスプレイ方式の光源に関する。
【背景技術】
【０００２】
フィールド・エミッション・ディスプレイ（以下「ＦＥＤ」と記す。）は、ブラウン管（以下「ＣＲＴ」と記す。）の電子銃にあたる装置を平面状にした技術で、ＣＲＴのような明るくてコントラストの高い画面を大型平面ディスプレイで実現することができ、かつ消費電力が小さく、省スペース薄型表示装置として注目されている。
【０００３】
ＦＥＤは、図６に示すように、２枚の隔壁５６で仕切られた真空容器の前面板５１の内側に蛍光体層５３が塗布等により具備されており、対向する後面板５２の内側にはエミッタ層５４が電子放出物質を塗布することにより具備されている。蛍光体層５３とエミッタ層５４の間には、約１０ｋＶの電圧が印加されており、陰極のエミッタ層５４から放出された電子は電界によって加速され、高エネルギーの電子線となって陽極の蛍光体層５３に衝突し、蛍光体層５３中の蛍光体を発光させる。蛍光体は一般には絶縁体であり、衝突した電子は蛍光体にとどまり、帯電（チャージアップ）してしまうので、蛍光体層５３の上に薄いアルミニウム等の金属を用いた導電層５５を設けて、帯電を防止している。
【０００４】
このようなＦＥＤは、このままでカラーディスプレイとして使用されるほか、液晶用のバックライト光源としても検討されている。この場合は白色の面状光源として用いられる。
白色の光源として用いる場合には、蛍光体層の発光色が白色となるように、白色発光蛍光体が必要になるが、単一の蛍光体で白色発光するものはあまり無いため、混合蛍光体が一般的に用いられる。
単に白色光を得る目的では、青色発光蛍光体と、その補色の関係にある黄色発光蛍光体との混合蛍光体を用いることができるが、カラー液晶ディスプレイのバックライト用途では、演色性を考慮するため、赤色発光蛍光体、緑色発光蛍光体および青色発光蛍光体の３原色の蛍光体が用いられる（例えば特許文献１参照。）。
【０００５】
【特許文献１】特開平１１−６４８２０号公報  （第２頁）
【発明の開示】
【発明が解決しようとする課題】
【０００６】
これらＦＥＤの蛍光体層に用いられる蛍光体としては、通常のカラーＣＲＴ用蛍光体を用いることもできるが、次の理由により必ずしも最適ではない。
即ち、カラーＣＲＴに印加される加速電圧は約３０ｋＶであり、ＦＥＤの加速電圧である約１０ｋＶより高い。このため、カラーＣＲＴの蛍光体粒子は、蛍光体粒子の奥まで電子線によって励起されるが、ＦＥＤの場合は粒子表面付近が励起されるだけである。従って、カラーＣＲＴと同じ明るさを得るためには、照射する電子線の量を大きく（すなわち、電流密度を大きく）しなければならず、輝度の電流飽和特性がＦＥＤはＣＲＴの場合より顕著に飽和しやすく、ＦＥＤの発光エネルギー効率はＣＲＴと比べて低い。
さらに、蛍光体は電子の照射によって劣化するため、蛍光体の寿命特性は積算電子照射量に依存する。ＦＥＤの場合には、ＣＲＴよりも寿命問題が顕著になる。即ち、赤色・緑色・青色等の複数の蛍光体を、色合いを調整し混合するのだが、各々の蛍光体ごとに寿命特性が異なるため特定の色だけ早く劣化するなどして、駆動時間と共に発光色度が変化してしまい、白色光源としての信頼性に影響を与える。
このような事情から、ＦＥＤに用いる蛍光体およびＦＥＤの構造に、新たな改良が求められている。
【０００７】
本発明者らは、ＦＥＤに最適な高効率の電子線励起蛍光体の試作検討探索を種々行ってきたが、表１に示す現行のカラーＣＲＴ用蛍光体の電子線励起発光エネルギー効率を超える蛍光体はあまり無い。
【０００８】
【表１】
2009016268.tif 000003
【０００９】
本発明者らはこのような状況から、電子線で各色の蛍光体を発光させるのではなく、電子線により紫外線ないし青色の波長領域の光を発光する蛍光体を励起させ、得られた紫外線ないし青色の波長領域の光を、別の蛍光体に照射することで、より長波長の様々な発光色に変換する方法を考案した。
【課題を解決するための手段】
【００１０】
請求項１記載の平面光源は、ＦＥＤ方式の光源であって、電子線により真空容器の内側の第１の蛍光体層が励起されて第１の光を出射し、第１の光により真空容器の外側の第２の蛍光体層が励起されて第２の光を出射し、結果白色系の光を発光するものである。
そして、真空容器の内側の第１の蛍光体層により第１の光を得て、この第１の光により真空容器の外側の第２の蛍光体層を励起するため、ＣＲＴと比べてＦＥＤの約１０ｋＶという比較的低い印加電圧による電子線によりすべての蛍光体を励起する場合と比べて、励起効率が高い。また各色の蛍光体の電子線励起効率の差、ないしは電子線による劣化速度の差による色ずれが生じず、さらに、第２の蛍光体層のための蛍光体として様々な種類の蛍光体から選択可能になるため、発光波長特性を調整しやすい。
このため、発光効率が高く、発光色の調整が容易な平面光源を得ることができる。
【００１１】
請求項２記載の平面光源は、請求項１記載の平面光源において、第１の光を近紫外線領域ないしは青色領域の波長の光としたものである。
そして、真空容器の内側の第１の蛍光体層から出射される第１の光を近紫外線領域ないしは青色領域の波長の光としたことにより、効率よく第２の蛍光体層の蛍光体を励起することができる。
【００１２】
請求項３記載の平面光源は、請求項２記載の平面光源において、第１の蛍光体層がＹＰＯ４：Ｃｅ３＋、ＹＡｌＯ３：Ｃｅ３＋、ＢａＦＸ：Ｅｕ２＋（ＸはＣｌ，Ｂｒ，Ｉの少なくともいずれか一つの元素）およびＹ２ＳｉＯ５：Ｃｅ３＋の少なくともいずれか一つの蛍光体を含むものである。
そして、これらの電子線励起効率が高く近紫外線領域で発光する蛍光体を第１の蛍光体層に用いたことで、効率よく第２の蛍光体層の蛍光体を励起することができ、また第２の蛍光体層の蛍光体の選択肢の幅が広がるため、発光色の調整も容易にできる平面光源となる。
【００１３】
請求項４記載の平面光源は、請求項２記載の平面光源において、第１の蛍光体層がＺｎＳ：Ａｇ＋蛍光体を含むものである。
そして、これらの電子線励起効率が高く青色領域で発光する蛍光体を第１の蛍光体層に用いたことで、効率よく第２の蛍光体層の蛍光体を励起することができ、また第２の蛍光体層の蛍光体のと混色により、発光効率の良い平面光源となる。
【発明の効果】
【００１４】
請求項１記載の平面光源によれば、フィールド・エミッション・ディスプレイ方式の光源であり、電子線により真空容器の内側の第１の蛍光体層が励起されて第１の光を出射し、第１の光により真空容器の外側の第２の蛍光体層が励起されて第２の光を出射し、白色系の発光をする平面光源としたことで、発光効率が高く、演色性が高く、発光色の調整が容易な平面光源を得ることができる。
【００１５】
請求項２記載の平面光源によれば、請求項１記載の平面光源において、第１の光を近紫外線領域ないしは青色領域の波長の光としたことで、演色性が高く、発光色の調整が容易な平面光源を得ることができる。
【００１６】
請求項３記載の平面光源によれば、請求項２記載の平面光源において、第１の蛍光体層がＹＰＯ４：Ｃｅ３＋、ＹＡｌＯ３：Ｃｅ３＋、ＢａＦＸ：Ｅｕ２＋（ＸはＣｌ，Ｂｒ，Ｉの少なくともいずれか一つの元素）およびＹ２ＳｉＯ５：Ｃｅ３＋の少なくともいずれか一つの蛍光体を含むもの構成としたことで、発光効率が高く、演色性が高く、発光色の調整が容易な平面光源を得ることができる。
【００１７】
請求項４記載の平面光源によれば、請求項２記載の平面光源において、第１の蛍光体層がＺｎＳ：Ａｇ＋蛍光体を含むもの構成としたことで、発光効率が高く、演色性が高く、発光色の調整が容易な平面光源を得ることができる。
【発明を実施するための最良の形態】
【００１８】
以下、本発明の一実施の形態における平面光源を、図1を用いて説明する。
２枚の隔壁６で仕切られた真空容器の前面板１の内側に第１の蛍光体層３が塗布等により具備されており、対向する後面板２の内側にはエミッタ層４が電子放出物質を塗布することにより具備されている。第１の蛍光体層３とエミッタ層４の間には、約１０ｋＶの電圧が印加されており、陰極のエミッタ層４から放出された電子は電界によって加速され、高エネルギーの電子線となって陽極の第１の蛍光体層３に衝突し、第１の蛍光体層３中の蛍光体を発光させる。帯電（チャージアップ）防止のため、第１の蛍光体層３の上に薄いアルミニウム等の導体による導電層５が接着または蒸着等により具備されている。
前面板１の外側に第２の蛍光体層７が塗布または印刷等により具備されており、さらにその表面に透明樹脂等による保護膜８が設けられている。
第１の蛍光体層３から出射された第１の光は、第２の蛍光体層７を通過する際に第２の蛍光体層７中の蛍光体を励起し、第２の光を発光する。このとき、第１の光と第２の光とが混色され、平面光源１０から出射される。
【００１９】
ここで、第１の蛍光体層３に含まれる蛍光体は、電子線により効率よく励起され、第１の光として近紫外線の領域ないしは青色領域の波長の光を出射するものが望ましい。例えば、
・３５５ｎｍに発光ピーク波長を持つ、ＹＰＯ４：Ｃｅ３＋、
・３７０ｎｍに近紫外発光ピーク波長を持つ、ＹＡｌＯ３：Ｃｅ３＋、
・３８０ｎｍに近紫外発光ピーク波長を持つ、ＢａＦＸ：Ｅｕ２＋（Ｘ＝Ｃｌ，Ｂｒ，Ｉ）、
・４１５ｎｍに近紫外発光ピーク波長を持つ、Ｙ２ＳｉＯ５：Ｃｅ３＋、
・４５０ｎｍに青色発光ピーク波長を持つ、ＺｎＳ：Ａｇ＋
等が好ましく用いることができる。
【００２０】
また、第２の蛍光体層７に含まれる蛍光体としては、第１の光により効率よく励起され、かつ第１の光との混色により、白色光が得られるものが望ましい。ここで、例えば第１の光が青色光であれば、この補色である黄色光を第２の光として発光する黄色発光蛍光体を第２の蛍光体層７の蛍光体として選択できるが、黄色発光蛍光体の代わりに、緑色発光蛍光体と赤色発光蛍光体とを組み合わせて用いると、さらに演色性が優れた白色光を得ることができる。
また、例えば第１の光が紫外線であれば、第２の蛍光体層７の蛍光体としては、青色発光蛍光体、緑色発光蛍光体、赤色発光蛍光体の組み合わせを用いることができ、これらの混色により、演色性に優れた白色光を得ることができる。
【００２１】
第２の蛍光体層７の蛍光体としては、例えば次の蛍光体が好適に用いることができる。
青色発光蛍光体としては、ＺｎＳ：Ａｇ＋、ＢａＭｇＡｌ１０Ｏ１７：Ｅｕ２＋、Ｓｒ５（ＰＯ４）３Ｃｌ：Ｅｕ２＋等の蛍光体が好ましい。
緑色発光蛍光体としては、ＳｒＧａ２Ｓ４：Ｅｕ２＋、ＺｎＳ：Ｃｕ＋、ＣａＳ：Ｃｅ３＋、Ｙ３Ａｌ５Ｏ１２：Ｃｅ３＋、（Ｃａ，Ｓｒ，Ｂａ）２ＳｉＯ４：Ｅｕ２＋、（Ｃａ，Ｓｒ，Ｂａ）Ｓｉ２Ｏ２Ｎ２：Ｅｕ２＋等の蛍光体が好ましい。
赤色発光蛍光体としては、（Ｃａ，Ｓｒ）Ｓ：Ｅｕ２＋、ＲＥ２Ｏ２Ｓ：Ｅｕ３＋（ＲＥ＝Ｙ，Ｇｄ，Ｌａ，Ｌｕ）、Ｓｒ３ＳｉＯ５：Ｅｕ２＋、Ｍｇ８Ｇｅ２Ｏ１１Ｆ２：Ｍｎ４＋、赤色発光サイアロン系蛍光体、等の蛍光体が好ましい。
このほかに、第２の蛍光体層７の蛍光体としては有機蛍光染料等も用いることができる。
【００２２】
従来技術の場合、電子線により励起される第１の蛍光体層３に相当する蛍光体層において、複数の蛍光体を具備したＦＥＤがあるが、この場合は具備した蛍光体がすべて電子線により効率よく励起されて発光する必要があり、また電子線による劣化特性が揃っている必要があった。しかし、一般的に蛍光体は電子線による励起と光（電磁波）による励起とで励起、発光までのメカニズムが異なり、特にＦＥＤの約１０ｋVという比較的低い印加電圧の場合には、電子線による励起効率と、光による励起効率とを比較すると、電子線励起では蛍光体の励起部分の体積が小さく、また電子照射によるチャージアップもあるため、光による励起の方が励起効率が高い。
このため、第１の蛍光体層３に用いる蛍光体は、約１０ｋＶという比較的低い印加電圧の電子線でも効率よく励起される蛍光体が望ましく、特に
・３５５ｎｍに発光ピーク波長を持つ、ＹＰＯ４：Ｃｅ３＋、
・３７０ｎｍに近紫外発光ピーク波長を持つ、ＹＡｌＯ３：Ｃｅ３＋、
・３７５ｎｍに近紫外発光ピーク波長を持つ、（Ｂａ，Ｓｒ）ＳＯ４：Ｅｕ２＋、
・４５０ｎｍに青色発光ピーク波長を持つ、ＺｎＳ：Ａｇ＋
が好適に用いられる。
【００２３】
一方、印加電圧の低い電子線による励起効率が低い蛍光体であっても、光による励起効率が高い蛍光体であれば、第２の蛍光体層７の蛍光体として有効に用いることができるため、ＦＥＤ内部に用いるのが不適切であった蛍光体でも、第２の蛍光体層７用として利用可能である。このため、さまざまな蛍光体を第２の蛍光体層７に用いることができるため、所望する白色度を得やすい。またカラー液晶ディスプレイのバックライトパネルの用途としては、対象となるカラー液晶ディスプレイのカラーフィルターの特性にあわせて多種の蛍光体の中から最適な蛍光体を選択しやすくなるため、結果として望ましい色調のカラー液晶ディスプレイを得ることができる。
【００２４】
また、第２の蛍光体層は、複数の蛍光体を混合したものを印刷等の手段によって具備させても良いが、図２に示すストライプ状のパターンや、図３に示すハニカム状のパターンで例えば青色発光蛍光体、赤色発光蛍光体および緑色発光蛍光体を並べて具備してもよい。この並べて具備する方法は、特に体色の強い蛍光体を用いる場合に有効である。
各々の蛍光体を並べて具備する場合、各蛍光体の第１の光に対する発光効率にあわせて、具備する面積の比率を調整することで、色調を調整可能である。
複数の蛍光体を混合して具備した場合、蛍光体から出射された例えば緑色領域の第２の光の一部が、再び例えば赤色発光蛍光体に吸収され波長変換されることが起こりうる。しかしながら、複数の蛍光体を混合せずに並べて具備した場合では、これらの再吸収がないため、混合した場合に比べて光源としての輝度が向上する。
複数の蛍光体を並べて具備したとき、複数の蛍光体から出射される光が効率よく混合されるように、平面光源１０に光拡散機能を有する光拡散層を設けてもよい。また、例えば第１の蛍光体層からの第１の光が青色領域の波長の光である場合は、青色発光蛍光体の領域には何も具備せずに、光が透過するように赤色発光蛍光体および緑色発光蛍光体を配置してもよい。
【００２５】
エミッタ層４として、電子放出物質として例えばカーボンナノチューブ（ＣＮＴ）を例示したが、このほかの電子放出物質でも良く、また電子を放出しやすい形状の構造（例えばスピント型など）をとっても良く、効率良く電子を放出できる機能が備わっていれば良い。
【００２６】
次に、上記一実施の形態の実施例として、本発明の平面光源について説明する。
【実施例１】
【００２７】
図１に示すように、２枚の隔壁６で仕切られた真空容器の前面板１の内側に、青色発光蛍光体ＺｎＳ：Ａｇ，Ｃｌを含む第１の蛍光体層３が塗布により具備されており、さらに第１の蛍光体層３の帯電防止のために、第１の蛍光体層３の上に導電層５として薄いアルミニウム金属箔が接着により具備されている。
対向する後面板２の内側には電子放出物質としてカーボンナノチューブ（ＣＮＴ）を含むエミッタ層４が塗布により具備されている。
前面板１の外側には、緑色発光蛍光体ＳｒＧａ２Ｓ４：Ｅｕと赤色発光蛍光体ＣａＳ：Ｅｕとの混合蛍光体を含む第２の蛍光体層７が、図２に示すストライプ状のパターンで印刷により具備されており、その表面に透明樹脂による保護膜８が設けられている。
このとき、領域３１には緑色発光蛍光体が、領域３２には赤色発光蛍光体が具備されており、領域３３には何も具備しない。
第１の蛍光体層３とエミッタ層４の間に約１０ｋＶの電圧を印加すると、陰極であるエミッタ層４から放出された電子が電界によって加速され、高エネルギーの電子線となり陽極である第１の蛍光体層３中の青色発光蛍光体ＺｎＳ：Ａｇ，Ｃｌに衝突し、これを励起して第１の光として青色領域の光を出射する。この青色領域の光の一部は、第２蛍光体層７中の領域３１にある緑色発光蛍光体ＳｒＧａ２Ｓ４：Ｅｕと領域３２にある赤色発光蛍光体ＣａＳ：Ｅｕとに吸収され、第２の光として緑色領域の光および赤色領域の光に変換される。
これら、第２の光と、領域３３を通過した第１の光とが混色され、白色光となり、平面光源１０から出射される。
このとき、図示しないが保護膜８の上部に、光を拡散させる拡散層を設けてもよい。
【００２８】
（比較例）
次に比較例として、従来の図６に示す構造に従い、通常のＣＲＴに用いられる青色発光蛍光体ＺｎＳ：Ａｇ、緑色発光蛍光体ＺｎＳ：Ｃｕ，Ａｌ、赤色発光蛍光体Ｙ２Ｏ２Ｓ：Ｅｕの混合蛍光体を蛍光体層５３として用い、蛍光体層５３の上に導電層５５として薄いアルミニウム金属が同様に設けられている。
対向する後面板２の内側には、同じくＣＮＴを含むエミッタ層５４が設けられている。
蛍光体層５３とエミッタ層５４の間に約１０ｋＶの電圧を印加すると、陰極であるエミッタ層５４から放出された電子が電界によって加速され、高エネルギーの電子線となり陽極である蛍光体層５３中の各々の蛍光体と衝突し、これを励起して各々青色・緑色・赤色の光を出射し、混色されて白色光となる。
【００２９】
本発明実施例１と比較例の平面光源からの発光スペクトルを図４に示す。
この二つの平面光源の色度はｘ＝０．２８、ｙ＝０．２７の白色発光を示すように各蛍光体の配合量を調整しており、発光特性を測定した結果、発光輝度は従来例よりも輝度は約５％高い。
また、この実施例１の平面光源は、発光スペクトルからもわかるようにより幅広い発光スペクトルを有しており、特に深い赤色領域の光を含むために演色性にも優れている。
【００３０】
次に、本発明の平面光源の別の実施形態として、第１の蛍光体層に紫外線発光蛍光体を選択した場合について説明する。
【実施例２】
【００３１】
紫外線発光蛍光体ＳｒＳＯ４：Ｅｕを含む第１の蛍光体層３が塗布により具備され、青色発光蛍光体ＢａＭｇＡｌ１０Ｏ１７：Ｅｕ、緑色発光蛍光体Ｚｎ２ＧｅＯ４：Ｍｎおよび赤色発光蛍光体Ｙ２Ｏ２Ｓ：Ｅｕを混合した、混合蛍光体を含む第２の蛍光体層７が塗布により具備したほかは、実施例１と同様に平面光源を構成し、これを実施例２とした。
この実施例２の場合、第１の蛍光体層３から出射される第１の光は、紫外線領域の波長範囲であるため人の目からはほとんど視認されず、第２の蛍光体層７から出射される青色発光蛍光体、緑色発光蛍光体および赤色発光蛍光体からの第２の光が混合され、白色光とうなり、実施例２の平面光源から出射される。
ここで、第２の蛍光体層７を実施例１のようにストライプ状のパターンで具備せずに、混合蛍光体を塗布することにより具備したが、これは上記青色蛍光体ＢａＭｇＡｌ１０Ｏ１７：Ｅｕ、緑色発光蛍光体Ｚｎ２ＧｅＯ４：Ｍｎおよび赤色発光蛍光体Ｙ２Ｏ２Ｓ：Ｅｕが、いずれも体色がほとんど無く、第２の光を再吸収するおそれが極めて少ないためである。
【００３２】
上記実施例２の平面光源からの発光スペクトルを図５に示す。
実施例１と同様に、この実施例２の平面光源の色度は、ｘ＝０．２８、ｙ＝０．２７の白色発光を示すように各蛍光体の配合量を調整している。
【００３３】
このように、本発明の平面光源は、第１の蛍光体層が電子線により励起され、第１の光として可視光または紫外線光を出射し、第２の蛍光体層がこの第１の光により励起され、第２の光として可視光を出射し、これらの混合により白色を得るものである。
ここで、第２の蛍光体層の蛍光体を可視光励起タイプの蛍光体または紫外線励起タイプの蛍光体から任意に選択できるため、発光色の調整が容易であり、例えばカラー液晶ディスプレイのバックライトパネルとして用いた場合に、上記カラー液晶ディスプレイのカラーフィルターの透過特性に合わせて、種々の蛍光体の中から最適の蛍光体を選択しやすく、発光色の調整が容易である。
また、電子線による励起では、蛍光体の種類によって電流飽和特性が異なるため、複数の蛍光体を用いて電子線励起強度を変化させた場合に、発光強度のバランスが崩れ、発光色が変化してしまうという問題があるが、本発明の平面光源の場合、第１の蛍光体層により電子線を第１の光である可視光または紫外線光に変換した上で、この第１の光により、他の複数の蛍光体を励起するため、電子線励起強度を変化させても、発光色は変化しにくいという特徴を持っている。このため、やはりカラー液晶ディスプレイ等のバックライトパネルとして最適である。
【産業上の利用可能性】
【００３４】
本発明の平面光源は、照明等の白色系光源に好適であり、さらにカラー液晶ディスプレイ用途において、発光色を容易に調整しやすく、また発光色が変化しにくいという特徴のため、特に好適に利用される。
【図面の簡単な説明】
【００３５】
【図１】本発明の一実施の形態の平面光源の構造を模式的に示す断面図である。
【図２】第２の蛍光体層の具備のパターンの一例を示す模式図である。
【図３】第２の蛍光体層の具備のパターンの別の一例を示す模式図である。
【図４】本発明の実施例１および従来の平面光源の発光スペクトルを表すグラフである。
【図５】本発明の実施例２の平面光源の発光スペクトルを表すグラフである。
【図６】従来の平面光源の構造の一例を模式的に示す断面図である。
【図１】
2009016268.tif 000004
【図２】
2009016268.tif 000005
【図３】
2009016268.tif 000006
【図４】
2009016268.tif 000007
【図５】
2009016268.tif 000008
【図６】
2009016268.tif 000009